(57)【要約】【課題】放送コンテンツから蓄積型コンテンツへの切替え時に与え得る違和感を減少させる。【解決手段】放送中の放送コンテンツを受信して提示する手段と、放送コンテンツの受信状態を検出する手段と（ステップ２１）、記録媒体に蓄積されている蓄積型コンテンツを再生して提示する手段と、放送コンテンツを受信し、提示している間に、その受信状態が所定の状態に悪化したとき、提示対象を蓄積型コンテンツに切り替えるコンテンツ切替え手段とを備えたコンテンツ提示装置において、切替え先の蓄積型コンテンツを、受信中の放送コンテンツがテレビコンテンツであるか又はラジオコンテンツであるかに基づき（ステップ２２）、前記蓄積されている蓄積型コンテンツのうちから選定するコンテンツ選定手段（ステップ２２〜２５）を設ける。【選択図】図１
2006270773.tif 000002
【特許請求の範囲】
【請求項１】
放送中の放送コンテンツを受信して提示する手段と、
前記放送コンテンツの受信状態を検出する手段と、
記録媒体に蓄積されている蓄積型コンテンツを再生して提示する手段と、
前記放送コンテンツを受信し、提示している間に、その受信状態が所定の状態に悪化したとき、提示対象を前記蓄積型コンテンツに切り替えるコンテンツ切替え手段とを備えたコンテンツ提示装置において、
前記コンテンツ切替え手段は、切替え先の蓄積型コンテンツを、受信中の放送コンテンツがテレビ放送によるテレビコンテンツであるか又はラジオ放送によるラジオコンテンツであるかに基づき、前記蓄積されている蓄積型コンテンツのうちから選定するコンテンツ選定手段を具備することを特徴とするコンテンツ提示装置。
【請求項２】
前記コンテンツ選定手段は、受信中の放送コンテンツがテレビコンテンツである場合でも、そのコンテンツの画像が提示されていない場合には、そのコンテンツをラジオコンテンツであるとみなして、前記蓄積型コンテンツの選定を行うものであることを特徴とする請求項１に記載のコンテンツ提示装置。
【請求項３】
前記コンテンツ選定手段は、切替え先の蓄積型コンテンツとして、受信中の放送コンテンツがテレビコンテンツである場合には画像コンテンツを選定し、又は、受信中の放送コンテンツがラジオコンテンツである場合には音響コンテンツを選定するものであることを特徴とする請求項１又は２に記載のコンテンツ提示装置。
【請求項４】
前記コンテンツ切替え手段は、前記蓄積型コンテンツへの切替えを行った後、その蓄積型コンテンツの再生が終了するとき、切替え前の放送コンテンツの受信状態が所定の良好な状態に復帰していれば、提示対象を、その放送コンテンツに切り替えるものであることを特徴とする請求項１〜３のいずれか１項に記載のコンテンツ提示装置。
【請求項５】
前記コンテンツ切替え手段は、テレビコンテンツが提示されているときに、提示対象を蓄積型の画像コンテンツに切り替えるとき、提示中のテレビコンテンツについて画像が提示されていない場合には、切替え後においても、その画像が提示されていない状態を維持し、又は切替え後においては該蓄積型の画像コンテンツの音声のみを提示するものであることを特徴とする請求項１〜４のいずれか１項に記載のコンテンツ提示装置。
【請求項６】
コンピュータを、請求項１〜４のいずれかのコンテンツ提示装置におけるコンテンツ切替え手段として機能させることを特徴とするプログラム。
【請求項７】
放送中の放送コンテンツを受信して提示する工程と、
前記放送コンテンツの受信状態を検出する工程と、
記録媒体に蓄積されている蓄積型コンテンツを再生して提示する工程と、
前記放送コンテンツを受信し、提示している間に、その受信状態が所定の状態に悪化したとき、提示対象を前記蓄積型コンテンツに切り替えるコンテンツ切替え工程とを備えたコンテンツ提示方法において、
前記コンテンツ切替え工程は、切替え先の蓄積型コンテンツを、受信中の放送コンテンツがテレビ放送によるテレビコンテンツであるか又はラジオ放送によるラジオコンテンツであるかに基づき、前記蓄積されている蓄積型コンテンツのうちから選定するコンテンツ選定工程を具備することを特徴とするコンテンツ提示方法。
【発明の詳細な説明】
【技術分野】
【０００１】
本発明は、放送中のコンテンツを受信し、提示している間に、受信状態が悪化したとき、提示対象を蓄積型コンテンツに切り替えるようにしたコンテンツ提示装置、プログラム及びコンテンツ提示方法に関する。
【背景技術】
【０００２】
従来、車両等の移動体に搭載されるコンテンツ提示装置として、電波等の受信状態の悪化により、ラジオやテレビを受信し、正常にそのコンテンツを提示することが困難になったとき、コンテンツの提示に使用する情報ソース機器を、ラジオやＣＤプレーヤ等の他の情報ソース機器に切り替えるようにしたものが知られている（特許文献１参照）。この装置においては、情報ソース機器を切り替えた後、切替え前の元のラジオやテレビの受信状態が回復した場合には、元のラジオやテレビの使用に復帰するようになっている。また、切替え先の情報ソース機器として、複数のものが存在する場合には、切替え先情報ソースの選択は、ユーザの指定や、ユーザが設定した優先順位に基づいて行われる。
【０００３】
また、別のコンテンツ提示装置として、受信状態の悪化に応じ、提示対象を放送コンテンツからＣＤ等の他のコンテンツに切り替えるようにしたものが知られている（特許文献２参照）。この装置においては、コンテンツの切替えに際してユーザが違和感を抱かないように、各コンテンツの属性やバッファへの蓄積具合、受信履歴や再生頻度等に基づいて切替え先のコンテンツを選択するようにしている。
【０００４】
図３はこのコンテンツ提示装置の一態様を示すブロック図である。この態様においては放送コンテンツの属性に基づいて切替え先コンテンツの選択を行うようにしている。すなわち、受信部３１により音楽コンテンツを受信し、このコンテンツを再生部３２において再生し、再生信号に基づく出力をスピーカ３３により行う。この間、受信中の音楽コンテンツの属性を属性判定部３４において判定し、記録部３５において記録されている音楽コンテンツのうちから、受信中の音楽コンテンツに属性が近いものを選択部３６により選択するとともに、受信状態判定部３７において、受信部３１における受信状態を判定し、監視する。そして、受信状態が悪化したと判定した場合には、受信中の音楽コンテンツに代えて、選択した音楽コンテンツを記録部３５から読み出して再生する。
【０００５】
ここで、選択部３６における音楽コンテンツの選択に際して参照される受信中の音楽コンテンツの属性としては、音楽コンテンツに係る楽曲の、アーティスト、アーティストが属するジャンル、テンポやリズム、及び歌手の声の音域が例示されている。なお、受信して再生するコンテンツとしては、音楽に限らず、音声や動画等の経時的要素をもつコンテンツであればよいとされている。
【０００６】
【特許文献１】特開２０００−２６１７３１号公報
【特許文献２】特開２００３−２０８１８４号公報
【発明の開示】
【発明が解決しようとする課題】
【０００７】
しかしながら、上述の従来技術によれば、受信中の放送コンテンツがテレビのコンテンツであり、切替え先のコンテンツがＣＤ等の音声のみのコンテンツである場合や、受信中の放送コンテンツがラジオのコンテンツであり、切替え先のコンテンツが画像のコンテンツである場合には、切替え時に依然としてユーザが違和感を感じてしまうという問題がある。
【０００８】
本発明の目的は、このような従来技術の問題点に鑑み、コンテンツ提示装置において、放送コンテンツからＣＤ等の蓄積型コンテンツへの切替え時に、違和感を与えるのを極力防止することにある。
【課題を解決するための手段】
【０００９】
上記目的を達成するため、第１の発明に係るコンテンツ提示装置は、放送中の放送コンテンツを受信して提示する手段と、放送コンテンツの受信状態を検出する手段と、記録媒体に蓄積されている蓄積型コンテンツを再生して提示する手段と、放送コンテンツを受信し、提示している間に、その受信状態が所定の状態に悪化したとき、提示対象を蓄積型コンテンツに切り替えるコンテンツ切替え手段とを備える。そして、コンテンツ切替え手段は、切替え先の蓄積型コンテンツを、受信中の放送コンテンツがテレビ放送によるテレビコンテンツであるか又はラジオ放送によるラジオコンテンツであるかに基づき、前記蓄積されている蓄積型コンテンツのうちから選定するコンテンツ選定手段を具備することを特徴とする。
【００１０】
ここで、コンテンツ提示装置としては、たとえば、カーナビゲーションシステムが該当する。蓄積型コンテンツとしては、たとえば、ＣＤやＤＶＤに記録されているコンテンツや、ハードディスクに蓄えられているコンテンツが該当する。受信状態の検出は、たとえば、受信電界強度や受信信号を復号する際のエラーレートに基づいて検出することができる。所定の状態としてはたとえば、受信電界強度が一定値以下になった場合やエラーレートが一定値以上になった場合が該当する。画像には静止画、動画、及び映像が含まれる。画像コンテンツとしてはたとえば、テレビ放送や、ＤＶＤ−Ｖｉｄｅｏ、ＭＰＥＧ−２ファイル、ＭＰＥＧ−４ファイルによるコンテンツが該当する。音響コンテンツとしては、たとえば、ラジオ放送や、ＣＤ−ＤＡ、ＭＰ３ファイルによるコンテンツが該当する。
【００１１】
この構成においてコンテンツ提示装置は、放送コンテンツを受信し、提示している間、受信状態検出手段により受信状態を監視する。受信状態検出手段が、受信状態が所定の状態に悪化したことを検出すると、コンテンツ切替え手段により、提示対象を放送コンテンツから蓄積型コンテンツに切り替える。その際、切替え先の蓄積型コンテンツを、コンテンツ選定手段により、蓄積されている蓄積型コンテンツのうちから選定する。選定は受信中の放送コンテンツがテレビコンテンツであるか又はラジオコンテンツであるかに基づいて行われる。したがってコンテンツ提示装置は、切替え先の蓄積型コンテンツとして、受信中の放送コンテンツがテレビコンテンツである場合には画像コンテンツを選定したり、又は、受信中の放送コンテンツがラジオコンテンツである場合には蓄積型の音響コンテンツを選定したりすることにより、蓄積型コンテンツへの切替え時に与える恐れがある違和感を極力抑制することができる。
【００１２】
第２の発明に係るコンテンツ提示装置は、第１発明において、コンテンツ選定手段は、受信中の放送コンテンツがテレビコンテンツである場合でも、そのコンテンツの画像が提示されていない場合には、そのコンテンツをラジオコンテンツであるとみなして、前記蓄積型コンテンツの選定を行うものであることを特徴とする。
【００１３】
第３の発明に係るコンテンツ提示装置は、第１又は第２発明において、コンテンツ選定手段は、切替え先の蓄積型コンテンツとして、受信中の放送コンテンツがテレビコンテンツである場合には画像コンテンツを選定し、又は、受信中の放送コンテンツがラジオコンテンツである場合には音響コンテンツを選定するものであることを特徴とする。
【００１４】
第４の発明に係るコンテンツ提示装置は、第１〜第３のいずれかの発明において、コンテンツ切替え手段は、蓄積型コンテンツへの切替えを行った後、その蓄積型コンテンツの再生が終了するとき、切替え前の放送コンテンツの受信状態が所定の良好な状態に復帰していれば、提示対象を、その放送コンテンツに切り替えるものであることを特徴とする。
【００１５】
第５の発明に係るコンテンツ提示装置は、第１〜第４のいずれかの発明において、コンテンツ切替え手段は、テレビコンテンツが提示されているときに、提示対象を蓄積型の画像コンテンツに切り替えるとき、提示中のテレビコンテンツについて画像が提示されていない場合には、切替え後においても、その画像が提示されていない状態を維持し、又は切替え後においては該蓄積型の画像コンテンツの音声のみを提示するものであることを特徴とする。
【００１６】
第６の発明に係るプログラムは、コンピュータを、前記第１〜第５のいずれかの発明に係るコンテンツ提示装置におけるコンテンツ切替え手段として機能させることを特徴とする。
【００１７】
第７の発明に係るコンテンツ提示方法は、放送中の放送コンテンツを受信して提示する工程と、放送コンテンツの受信状態を検出する工程と、記録媒体に蓄積されている蓄積型コンテンツを再生して提示する工程と、放送コンテンツを受信し、提示している間に、その受信状態が所定の状態に悪化したとき、提示対象を選定された前記蓄積型コンテンツに切り替えるコンテンツ切替え工程とを備えたコンテンツ提示方法に関する。そして、前記コンテンツ切替え工程は、切替え先の蓄積型コンテンツを、受信中の放送コンテンツがテレビコンテンツであるか又はラジオコンテンツであるかに基づき、前記蓄積されている蓄積型コンテンツのうちから選定するコンテンツ選定工程を具備することを特徴とする。
【発明の効果】
【００１８】
本発明によれば、放送型コンテンツから蓄積型コンテンツへの切替え時に与える恐れがある違和感を極力抑制することができる。
【発明を実施するための最良の形態】
【００１９】
図１は本発明の一実施形態に係る車載用のコンテンツ提示装置の構成を示すブロック図である。同図に示すように、この装置は、筐体Ａ、筐体Ｂ、及び筐体Ｂ上で筐体Ａを支持し、駆動させる駆動機構Ｃを備える。筐体Ａには、液晶パネルで構成された表示器１が設けられている。表示器１は、ユーザに対してコンテンツを提示するために用いられる。
【００２０】
筐体Ｂには、表示器１を駆動するグラフィック・アクセラレータ２、テレビ放送を選択的に受信して映像信号及び音声信号に復調し、得られる画像信号をグラフィック・アクセラレータ２に出力するＴＶチューナ３、ＦＭ及びＡＭ放送を選択的に受信して音声信号に復調し、該音声信号をＴＶチューナ３に出力するＦＭ／ＡＭチューナ４、各部間のインタフェースとして機能するインタフェース・ロジック５、各部からのデータに関する処理を行う中央演算処理装置（以下、「ＣＰＵ」という。）６、ＣＰＵ６がデータ処理を行う際に使用するメモリ７、及び、ＣＰＵ６が処理を行う際の制御手順が記憶されている書換え可能な不揮発性のプログラム・メモリ８が設けられている。
【００２１】
筐体Ｂにはまた、ＡＴＡ／ＡＴＡＰＩインタフェース機器へ接続するための接続ロジックとして機能するＡＴＡ／ＡＴＡＰＩインタフェース９、ＡＴＡインタフェースを有し、ＡＴＡ／ＡＴＡＰＩインタフェース９に接続された書換え可能な不揮発性のデータ記憶装置１０、ＡＴＡ／ＡＴＡＰＩインタフェース９に接続されたＡＶメディア再生装置１１、各部を接続するバス１２、ユーザによる操作入力の内容をインタフェース・ロジック５に伝える操作キー１４、並びに、バス１２からのオーディオ・データをアナログ音声信号に変換し、ＴＶチューナ３に出力するＤＡコンバータ（以下、「ＤＡＣ」という。）１５が設けられている。バス１２はグラフィック・アクセラレータ２、インタフェース・ロジック５、ＣＰＵ６、メモリ７、プログラム・メモリ８、ＡＴＡ／ＡＴＡＰＩインタフェース９、及びＤＡＣ１５を相互に接続している。
【００２２】
ＴＶチューナ３は、受信するテレビ放送の受信状態を示す受信電界強度信号（Ｓメータ信号）情報及び復号情報のエラーレートをインタフェース・ロジック５に出力する。ＴＶチューナ３はまた、インタフェース・ロジック５の指示に従い、テレビ放送の復調音声信号、並びにＦＭ／ＡＭチューナ４及びＤＡＣ１５からの音声信号のうちのいずれかを選択し、スピーカを介して出力する。
【００２３】
ＦＭ／ＡＭチューナ４はＦＭ／ＡＭ放送の受信状況を示す受信電界強度信号（Ｓメータ信号）情報をインタフェース・ロジック５に出力する。インタフェース・ロジック５は、バス１２からの信号に基づき、ＴＶチューナ３及びＦＭ／ＡＭチューナ４への制御信号を生成する。インタフェース・ロジック５はまた、操作キー１４によるユーザからの指示をバス１２に出力する。
【００２４】
データ記憶装置１０には、ＡＶメディア再生装置１１において再生する各ＡＶコンテンツを特定するための情報を有するデータベースと、各ＡＶコンテンツに係るジャンル、アーティスト、楽曲名、収納されているアルバム名、リリース年月日、作者等の属性情報（メタデータ）のデータベースと、ユーザが各ＡＶコンテンツを何時に、何回視聴したという履歴情報とが蓄積されている。
【００２５】
ＡＶメディア再生装置１１はＡＴＡＰＩインタフェースを有する光ディスク、メモリカード、リムーバブル・ハードディスクドライブ等に記録された蓄積型のＡＶコンテンツを再生するものである。駆動機構Ｃはインタフェース・ロジック５によって制御され、表示器１が設けられた筐体Ａを、所定の収納位置及び設置位置間で移動させる。
【００２６】
この構成において、ユーザがテレビ放送を受信し、視聴している間、ＣＰＵ６はバス１２及びインタフェース・ロジック５を介してＴＶチューナ３から提供される受信電界強度信号（Ｓメータ信号）情報及び復号情報のエラーレートをモニタリングしている。この間にコンテンツ提示装置が搭載されている車両の移動により、ＴＶチューナ３が受信するテレビ電波が弱くなり、復号情報のエラーレートが増加して、受信テレビ電波に基づく画像コンテンツの提示が困難な状況になったと判定すると、ＣＰＵ６は提示対象をテレビ放送によるコンテンツから、ＡＶメディア再生装置１１に記憶されている画像コンテンツに切り替える。
【００２７】
この切替えは次のようにして行われる。すなわちＣＰＵ６はまず、切替え先の画像コンテンツとして適当なものを選定する。この選定は、データ記憶装置１０のデータベース内に記録されている、ＡＶメディア再生装置１１に蓄積されている各コンテンツについての記録フォーマットの種類や再生データレート、コンテンツのジャンルや再生履歴等を参照し、再生可能な画像コンテンツを、ＡＶメディア再生装置１１に記録されているコンテンツのうちから選択することにより行われる。
【００２８】
次にＣＰＵ６は、ＡＶメディア再生装置１１から、ＡＴＡ／ＡＴＡＰＩインタフェース９及びバス１２を介し、選定した画像コンテンツの画像データの供給を受け、この画像データについて、プログラム・メモリ８に格納されたデコード・プログラムに従い、メモリ７を用いながらデコードする処理を開始する。これと同時にＣＰＵ６は、グラフィック・アクセラレータ２へ供給される信号を、ＴＶチューナ３からの画像信号から、自身がデコードした画像データによる信号に切り替える。これに応じ、グラフィック・アクセラレータ２は、切り替えられた画像信号に基づく表示器１の駆動を開始する。これにより、提示対象は、その画像部分について、ＡＶメディア再生装置１１からの画像コンテンツに切り替えられ、提示が開始される。
【００２９】
選定した画像コンテンツの音声データ部分については、ＣＰＵ６は同様にＡＶメディア再生装置１１から提供を受け、プログラム・メモリ８に格納されたデコード・プログラムに従い、メモリ７を用いながらデコードし、ＤＡＣ１５に供給する処理を開始する。これに応じてＤＡＣ１５は、供給される音声データをアナログ音声信号に変換してＴＶチューナ３に出力する処理を開始する。これと同時に、ＣＰＵ６はバス１２及びインタフェース・ロジック５を介してＴＶチューナ３に対し、提示対象とする音声信号をＤＡＣ１５からの音声信号に切り替えるように指令する。これにより、提示対象の音声部分についても、ＡＶメディア再生装置１１からの画像コンテンツに切り替えられ、提示が開始される。
【００３０】
一方、ユーザがＦＭ／ＡＭ放送を受信し、視聴している間、ＣＰＵ６はバス１２及びインタフェース・ロジック５を介してＦＭ／ＡＭチューナ４から提供される受信電界強度信号（Ｓメータ信号）情報をモニタリングする。この間に、コンテンツ提示装置が搭載されている車両の移動により受信中の放送電波が弱くなり、放送波に基づくコンテンツの提示が困難な状況になったと判定すると、ＣＰＵ６は提示対象を放送波によるコンテンツから、ＡＶメディア再生装置１１に記憶されているオーディオ・コンテンツに切り替える。
【００３１】
この切替えは次のようにして行われる。すなわちＣＰＵ６はまず、切替え先のオーディオ・コンテンツとして適当なものを選定する。この選定は、データ記憶装置１０のデータベース内に記録されている、ＡＶメディア再生装置１１に蓄積されている各コンテンツについての記録フォーマットの種類や再生データレート、コンテンツのジャンルや再生履歴等を参照し、再生可能なオーディオ・コンテンツを、ＡＶメディア再生装置１１に記録されているコンテンツのうちから選択することにより行われる。
【００３２】
次にＣＰＵ６は、ＡＶメディア再生装置１１から、ＡＴＡ／ＡＴＡＰＩインタフェース９及びバス１２を介し、選定したオーディオ・コンテンツの音声データの供給を受け、この音声データについて、プログラム・メモリ８に格納されたデコード・プログラムに従いメモリ７を用いながらデコードを行い、デコードした音声データをＤＡＣ１５に提供する処理を開始する。ＤＡＣ１５は提供される音声データをアナログ音声信号に変換してＴＶチューナ３に出力する。これと同時にＣＰＵ６は、バス１２及びインタフェース・ロジック５を介してＴＶチューナ３に対し、提示対象とする音声信号をＤＡＣ１５からの音声信号に切り替えるように指令する。これにより、提示対象は、ＡＶメディア再生装置１１からのオーディオ・コンテンツに切り替えられ、提示が開始される。
【００３３】
他方、ユーザがテレビ放送を受信している場合であっても、表示器１がユーザに対してコンテンツを提示するための所定の位置に設置されておらず、駆動機構Ｃによって収納場所に格納されている場合や、表示器１が駆動機構Ｃによって前記所定位置に設置されていても、表示器１の表示をユーザが意図的にオフとして音声だけを聴いている場合には、ＣＰＵ６は、上述の放送波の劣化に応じたコンテンツの切替えについては、ＦＭ／ＡＭ放送を受信している場合と同様に処理する。すなわちＣＰＵ６は、ＴＶチューナ３から提供される受信電界強度信号（Ｓメータ信号）情報及び復号情報のエラーレートに基づき、受信テレビ電波が弱くなり、復号エラーレートが増加して音声の提示ができない状況になったと判定すると、上述のＦＭ／ＡＭ放送が劣化した場合と同様に、ＡＶメディア再生装置１１中のオーディオ・コンテンツを選択し、その再生を開始する。
【００３４】
図２は以上の処理の流れを示すフローチャートである。この処理はテレビ放送又はＦＭ／ＡＭ放送を受信している場合に行われる。すなわち、処理を開始すると、ＣＰＵ６はまずステップ２１において、受信信号の劣化の有無を監視する。つまり、受信電界強度信号（Ｓメータ信号）情報や復号情報のエラーレートに基づき、受信中のテレビ信号又はＦＭ／ＡＭ放送信号が劣化したか否かの判定を繰り返す。受信信号の劣化が検出されると、ステップ２２において、テレビ放送の受信中か否かを判定する。テレビ放送の受信中でない場合、すなわちＦＭ／ＡＭ放送を受信している場合には、ステップ２３において、提示対象を、ＦＭ／ＡＭ放送のコンテンツから、ＡＶメディア再生装置のオーディオ・コンテンツへ切り替えて、図２の処理を終了する。
【００３５】
ステップ２２においてテレビ放送の受信中であると判定した場合には、ステップ２４において、テレビ放送の画像がユーザに対して提示されているか否かを判定する。表示器１が所定の位置に設置され、オン状態にあれば、テレビ放送の画像がユーザに対して提示されていると判定し、表示器１が駆動機構Ｃによって収納場所に格納されている場合や、表示器１がオフとされ、音声だけが出力されている場合には、テレビ放送の画像がユーザに対して提示されていないと判定する。画像が提示されていないと判定した場合には、ステップ２３において再生対象を、ＡＶメディア再生装置１１のオーディオ・コンテンツへ切り替えて、図２の処理を終了する。画像が提示されていると判定した場合には、ステップ２５において、再生対象をＡＶメディア再生装置１１の画像コンテンツへ切り替えて、図２の処理を終了する。
【００３６】
本実施形態によれば、受信信号の劣化に基づく提示対象の切替に際し、切替え先の蓄積型コンテンツとして、テレビ放送のコンテンツを受信し提示している場合には、ＤＶＤ等の画像コンテンツを選定し、ラジオ放送のコンテンツを受信している場合には、音楽又は音声のみのコンテンツを選定するといったように、受信中の放送コンテンツが画像を伴うか否かを考慮して、放送型コンテンツから蓄積型コンテンツへの切替えを行うようにしたため、これらを考慮しなかった従来の場合に比べ、コンテンツの切替え時に視聴者が感じ得る違和感を軽減することができる。
【００３７】
また、表示器１が意図的に消されていたり収納されていたりしているときには、切替え先を、音楽又は音声のみの音響コンテンツとすることにより、コンテンツ切替え時に視聴者が感じる違和感をさらに軽減させることができる。
【００３８】
なお、本発明は上述実施形態に限定されることなく、適宜変形して実施することができる。たとえば、上述においては、放送コンテンツから蓄積型コンテンツへの切替えを行う場合について述べたが、さらにこれに加え、前記蓄積型コンテンツへの切替えを行った後で、切替え前の放送コンテンツの受信を所定の良好な状態で行うことができるようになったとき、提示対象をその放送コンテンツに復帰させるようにしてもよい。たとえば、蓄積型コンテンツへの切替えを行った後、その蓄積型コンテンツの再生が終了するとき、切替え前の放送コンテンツの受信状態が所定の良好な状態に復帰しているか否かを判定し、復帰していれば、提示対象を、その放送コンテンツに切り替えるようにしてもよい。
【００３９】
また、上述においては特に言及しなかったが、テレビコンテンツの提示中に、提示対象を別の画像コンテンツに切り替えるとき、提示中のテレビコンテンツについて画像が提示されていない場合には、切替え後においても、その画像が提示されていない状態を維持したり、音声のみを提示したりするようにしてもよい。画像が提示されていない場合としては、たとえば、２ＤＩＮサイズで固定されているモニタがオフとされていて画像が表示されていない場合や、インダッシュ型モニタが閉まっている場合が該当する。
【図面の簡単な説明】
【００４０】
【図１】本発明の一実施形態に係る車載用のコンテンツ提示装置の構成を示すブロック図である。
【図２】図１の装置における処理の流れを示すフローチャートである。
【図３】従来例に係るコンテンツ提示装置の一態様を示すブロック図である。
【符号の説明】
【００４１】
１：表示器、２：駆動機構、３：ＴＶチューナ、４：ＦＭ／ＡＭチューナ、５：インタフェース・ロジック、６：ＣＰＵ、７：メモリ、８：プログラム・メモリ、９：ＡＴＡ／ＡＴＡＰＩインタフェース、１０：データ記憶装置、１１：ＡＶメディア再生装置、１２：バス、１４：操作キー、１５：ＤＡコンバータ、Ａ：筐体、Ｂ：筐体、Ｃ：駆動機構。
【図１】
2006270773.tif 000003
【図２】
2006270773.tif 000004
【図３】
2006270773.tif 000005